(57)【要約】【課題】曝射準備ボタン、撮影ボタン及びオフセット成分である無曝射画像データの取得時のタイミングについての最適化を図り、短時間で精度の高い残像補正を行う放射線撮影装置を提供する。【解決手段】曝射準備ボタン７２が押下されたとき、放射線検出器１６のオフセット成分である無曝射画像データの取得を停止し、曝射準備ボタン７２が押下されたときの直前の無曝射画像データを、撮影ボタン７４が押下されたときに取得した放射線画像データに対する残像補正用として使用し、残像補正を行うようにしたので、曝射準備ボタン７２、撮影ボタン７４及びオフセット成分である無曝射画像データの取得時のタイミングについての最適化が図られ、短時間で精度の高い残像補正を行うことができる。【選択図】図３
2011072358.tif 000002
【特許請求の範囲】
【請求項１】
放射線検出器から定期的に残像補正用の無曝射画像データを取得し、記憶部に記憶するステップと、
曝射準備スイッチがオンされたかどうかを検出するステップと、
前記曝射準備スイッチがオンされたとき、前記無曝射画像データを取得するステップを停止させ、前記曝射準備スイッチがオンとされたときの直前に取得され前記記憶部に記憶されている無曝射画像データを取得するステップと、
取得した無曝射画像データを、撮影スイッチがオンとされ前記放射線検出器から放射線画像データを取得したときに残像補正用の無曝射画像データとして使用し、残像補正を行うステップと、
を備えることを特徴とする放射線撮影方法。
【請求項２】
請求項１記載の放射線撮影方法において、
前記残像補正を行うステップでは、前記曝射準備スイッチがオンとされたときの直前に取得され前記記憶部に記憶されている無曝射画像データと、当該無曝射画像データの他、少なくとも、当該無曝射画像データの直前に取得された無曝射画像データとから、前記撮影スイッチがオンとされ前記放射線検出器から前記放射線画像データを取得したときの残像減衰量を予測計算し、前記残像補正を行うステップを
備えることを特徴とする放射線撮影方法。
【請求項３】
放射線検出器から定期的に残像補正用の無曝射画像データを取得し、記憶部に記憶する定期的無曝射画像データ取得部と、
曝射準備スイッチがオンされたかどうかを検出する曝射準備スイッチ監視部と、
前記曝射準備スイッチがオンされたとき、前記定期的無曝射画像データ取得部の機能を停止し、前記曝射準備スイッチがオンとされたときの直前に取得され前記記憶部に記憶されている無曝射画像データを取得する曝射準備時無曝射画像データ取得部と、
取得した無曝射画像データを、撮影スイッチがオンとされ前記放射線検出器から放射線画像データを取得したときに残像補正用の無曝射画像データとして使用し、残像補正を行う残像補正部と、
を備えることを特徴とする放射線撮影装置。
【請求項４】
請求項３記載の放射線撮影装置において、
前記残像補正部は、
前記曝射準備スイッチがオンとされたときの直前に取得され前記記憶部に記憶されている無曝射画像データと、当該無曝射画像データの他、少なくとも、当該無曝射画像データの直前に取得された無曝射画像データとから、前記撮影スイッチがオンとされ前記放射線検出器から前記放射線画像データを取得したときの残像減衰量を予測計算し、前記残像補正を行う
ことを特徴とする放射線撮影装置。
【発明の詳細な説明】
【技術分野】
【０００１】
この発明は、放射線源から出射され、被検体を透過した放射線を検出し、放射線画像情報に変換する平面型の放射線検出器を有する放射線撮影装置における放射線撮影方法及び放射線撮影装置に関する。
【背景技術】
【０００２】
近時、放射線撮影装置に用いられる検出器として、画素が２次元に配列された平面型の放射線検出器｛以下、平面検出器（Ｆｌａｔ  Ｐａｎｅｌ  Ｄｅｔｅｃｔｏｒ）という。｝が実用化の段階に入ってきている。
【０００３】
この平面検出器の前記画素群から出力される画像信号には、照射された放射線量に比例した本来の放射線画像成分（信号成分）の他、アーチファクト成分としてのオフセット成分（ノイズ成分）が混在している。
【０００４】
このオフセット成分を除去する技術が特許文献１、２に開示されている。
【０００５】
特許文献１に係る技術では、非撮影期間に画素群から間欠的にオフセット成分を読み出して記憶更新し、次の撮影期間に記憶更新してある最新のオフセット成分を当該撮影期間の画像信号から差し引くことでオフセット補正を行い、本来の放射線画像成分を得るようにしている。
【０００６】
特許文献１には、オフセット成分は、最新の複数のオフセット成分を加算平均したもの、あるいは残像量が許容残像量以下になった時点以降のオフセット成分を使用するようにしてもよいと開示されている。
【０００７】
特許文献２に係る技術では、撮影期間の前に取得されたオフセット成分を用いて補正した放射線画像成分を表示することで、画像をリアルタイムに表示する一方で、撮影期間の後に取得されたオフセット成分を用いて補正した放射線画像成分を保存乃至解析用として利用することが記載されている。そして、オフセット成分を複数回連続して取得する場合には、最も残像の残っていない最新のオフセット成分をオフセット補正に用いることが望ましいと開示されている。
【先行技術文献】
【特許文献】
【０００８】
【特許文献１】特開２００６−７５３５９号公報（［００１４］、［００３７］、［００８６］、図７、図１５）
【特許文献２】特開２００９−１００８４８号公報（［００１５］、［００３７］、図５）
【発明の概要】
【発明が解決しようとする課題】
【０００９】
ところで、被検体の放射線撮影の際には、実際上、最初に、曝射準備ボタン（曝射準備スイッチとして機能する。）が押下されると一定時間後に放射線源が励起され、曝射準備ボタンと同軸上に配置される撮影ボタン（曝射ボタンともいい、撮影スイッチ又は曝射スイッチとして機能する。）が押下可能となり、この撮影ボタンが押下されると、前記放射線源を通じて所定時間分のＸ線の曝射が行われ、被検体の放射線撮影画像が得ることができるように構成されている。
【００１０】
ところで、上記特許文献１、２には、曝射準備ボタン及び撮影ボタンについては何も開示されていない。
【００１１】
しかしながら、これら曝射準備ボタン及び撮影ボタンの押下タイミングとオフセット成分の取得タイミングとの関係について、改良の余地があることが分かった。
【００１２】
この発明はこのような課題を考慮してなされたものであり、曝射準備ボタン、撮影ボタン及びオフセット成分の取得時のタイミングについての最適化を図り、短時間で残像補正を行うことを可能とする放射線撮影装置を提供することを目的とする。
【００１３】
また、この発明は、曝射準備ボタン、撮影ボタン及びオフセット成分の取得時のタイミングについての最適化を図り、短時間で高精度の残像補正を行うことを可能とする放射線撮影方法及び放射線撮影装置を提供することを目的とする。
【課題を解決するための手段】
【００１４】
この発明に係る放射線撮影方法は、放射線検出器から定期的に残像補正用の無曝射画像データを取得し、記憶部に記憶するステップと、曝射準備スイッチがオンされたかどうかを検出するステップと、前記曝射準備スイッチがオンされたとき、前記無曝射画像データを取得するステップを停止させ、前記曝射準備スイッチがオンとされたときの直前に取得され前記記憶部に記憶されている無曝射画像データを取得するステップと、取得した無曝射画像データを、撮影スイッチがオンとされ前記放射線検出器から放射線画像データを取得したときに残像補正用の無曝射画像データとして使用し、残像補正を行うステップと、を備えることを特徴とする。
【００１５】
この発明に係る放射線撮影装置は、放射線検出器から定期的に残像補正用の無曝射画像データを取得し、記憶部に記憶する定期的無曝射画像データ取得部と、曝射準備スイッチがオンされたかどうかを検出する曝射準備スイッチ監視部と、
前記曝射準備スイッチがオンされたとき、前記定期的無曝射画像データ取得部の機能を停止し、前記曝射準備スイッチがオンとされたときの直前に取得され前記記憶部に記憶されている無曝射画像データを取得する曝射準備時無曝射画像データ取得部と、取得した無曝射画像データを、撮影スイッチがオンとされ前記放射線検出器から放射線画像データを取得したときに残像補正用の無曝射画像データとして使用し、残像補正を行う残像補正部と、を備えることを特徴とする。
【００１６】
この発明に係る放射線撮影方法及びその装置によれば、曝射準備スイッチがオンとされたとき、無曝射画像データの取得を停止し、曝射準備スイッチがオンとされたときの直前の無曝射画像データを、撮影スイッチがオンとされたときに取得した放射線画像データに対する残像補正用として使用し、残像補正を行うようにしたので、曝射準備スイッチ、撮影スイッチ及びオフセット成分である無曝射画像データの取得時のタイミングについての最適化が図られ、短時間で精度の高い残像補正を行うことができる。
【００１７】
この場合、前記残像補正を行う際に、前記曝射準備スイッチがオンとされたときの直前に取得され前記記憶部に記憶されている無曝射画像データと、当該無曝射画像データの他、少なくとも、当該無曝射画像データの直前に取得された無曝射画像データとから、前記撮影スイッチがオンとされ前記放射線検出器から前記放射線画像データを取得したときの残像減衰量を予測計算し、前記残像補正を行うようにすることで、短時間に高精度の残像補正を行うことができる。
【発明の効果】
【００１８】
この発明によれば、放射線撮影装置において、曝射準備スイッチ、撮影スイッチ及びオフセット成分の取得時のタイミングについての最適化が図られ、短時間で残像補正を行うことができる。
【００１９】
また、曝射準備スイッチがオンとされたときの直前の連続する少なくとも２つの無曝射画像データを用いて、放射線画像データの取得時の残像減衰量を予測計算して残像補正を行うようにしたので、短時間で高精度の残像補正を行うことができる。
【図面の簡単な説明】
【００２０】
【図１】本発明に係る放射線撮影装置が適用された放射線撮影システムが設置された撮影室の説明図である。
【図２】放射線検出器の回路構成ブロック図である。
【図３】放射線撮影システムのブロック図である。
【図４】放射線撮影システムの動作説明に供されるフローチャートである。
【図５】放射線撮影システムの一実施形態の動作説明に供されるタイムチャートである。
【図６】放射線撮影システムの他の実施形態の動作説明に供されるタイムチャートである。
【図７】放射線撮影システムの他の実施形態に係る残像補正の説明図である。
【発明を実施するための形態】
【００２１】
以下、この発明に係る放射線撮影装置及びその方法について、これらが適用される放射線画像検出システムとの関係において好適な実施の形態を挙げ、添付の図面を参照しながら詳細に説明する。
【００２２】
図１は、この実施形態に係る放射線撮影システム１０（以下、「撮影システム１０」という。）の構成を示している。
【００２３】
撮影室に設置される撮影システム１０は、撮影条件に従った線量の放射線Ｘを患者等の被検体１２に照射（曝射）する放射線照射装置１４と、被検体１２を透過した放射線Ｘを検出する放射線検出器１６（ＦＰＤ；平面検出器）を内蔵した放射線検出装置１８と、放射線検出装置１８で検出された放射線Ｘに基づく放射線画像を表示する表示装置２０と、当該撮影システム１０を総合的に制御する撮影制御装置２２（コンソール）と、を備える。なお、撮影条件とは、被検体１２の撮影部位に対して、適切な線量からなる放射線Ｘを照射するための管電圧、管電流、照射時間等を決定するための条件であり、例えば、撮影部位、撮影方法等の条件を挙げることができる。
【００２４】
撮影システム１０において、放射線照射装置１４と、放射線検出装置１８と、表示装置２０と、撮影制御装置２２とは、無線又は図示しない有線の通信線で接続され、信号の送受信が行われる。
【００２５】
放射線照射装置１４は、天井から延びたアーム２４に連結され、該アーム２４は、撮影制御装置２２を操作することで、Ｚ方向（高さ方向）の他、ＸＹ方向（前後左右方向）に、被検体１２の撮影部位に応じた所望の位置に移動可能である。表示装置２０は天井から延びた自在アーム２６に連結され、表示される放射線画像を医師や放射線技師（医師等）が容易に確認できる位置に移動可能である。
【００２６】
放射線検出装置１８は、被検体１２を載せる撮影台２８と、この撮影台２８に設けられ垂直方向に延びる支柱３０と、この支柱３０に沿って設けられるガイドレール３２と、このガイドレール３２に取り付けられＺ方向に移動可能な前記の放射線検出器１６を内蔵する放射線検出ユニット３４と、を備える。
【００２７】
図２は、放射線検出器１６の回路構成ブロック図である。放射線検出器１６は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、発生した電荷を蓄積容量（蓄積部）５３に蓄積した後、各行毎にＴＦＴ５２を順次オンにして、電荷を画像信号として読み出す。図２では、光電変換層５１及び蓄積容量５３からなる１つの画素５０と１つのＴＦＴ５２との接続関係のみを示し、その他の画素５０の構成については省略している。
【００２８】
各画素５０に接続されるＴＦＴ５２には、行方向に平行に延びるゲート線５４と、列方向に平行に延びる信号線５６とが接続される。各ゲート線５４は、ライン走査駆動部５８に接続され、各信号線５６は、読取回路を構成するマルチプレクサ６６に接続される。
【００２９】
ゲート線５４には、行方向に配列されたＴＦＴ５２をオンオフ制御する制御信号Ｖｏｎ、Ｖｏｆｆがライン走査駆動部５８から供給される。この場合、ライン走査駆動部５８は、ゲート線５４を切り替える複数のスイッチＳＷ１と、スイッチＳＷ１の１つを選択する選択信号を出力するアドレスデコーダ６０とを備える。アドレスデコーダ６０には、検出器制御部４６からアドレス信号が供給される。
【００３０】
また、信号線５６には、列方向に配列されたＴＦＴ５２を介して各画素５０の蓄積容量５３に保持されている電荷が流出する。この電荷は、増幅器６２によって増幅される。増幅器６２には、サンプルホールド回路６４を介してマルチプレクサ６６が接続される。マルチプレクサ６６は、信号線５６を切り替える複数のスイッチＳＷ２と、スイッチＳＷ２の１つを選択する選択信号を出力するアドレスデコーダ６８とを備える。アドレスデコーダ６８には、検出器制御部４６からアドレス信号が供給される。マルチプレクサ６６には、Ａ／Ｄ変換器（Ａ／Ｄ変換部）７０が接続され、Ａ／Ｄ変換器７０によってデジタル信号の画像データに変換された放射線画像情報が検出器制御部４６に供給される。
【００３１】
スイッチング素子として機能するＴＦＴ５２は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。また、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００３２】
図３は、放射線照射装置１４、放射線検出装置１８、撮影制御装置２２、及び表示装置２０と、を備える撮影システム１０のブロック構成説明図である。
【００３３】
撮影制御装置２２には、病院内の放射線科で取り扱われる放射線画像情報やその他の情報を統括的に管理する放射線科情報システム（ＲＩＳ）２９が接続され、ＲＩＳ２９には、病院内の医事情報を統括的に管理する医事情報システム（ＨＩＳ）３３が接続される。
【００３４】
図３に示すように、放射線照射装置１４は、図１に示す互いに同軸上に一体的に配置される曝射準備ボタン７２（曝射準備スイッチ）と撮影ボタン７４（撮影スイッチ又は曝射スイッチ）と、放射線源７６と、高電圧発生部７８と、線源制御部８０と、を有する。ここで、曝射準備ボタン７２と撮影ボタン７４は、図１に示すように、撮影制御装置２２のテーブル上に配置される。曝射準備ボタン７２と撮影ボタン７４は、撮影制御装置２２に接続するように構成を変更することもできる。
【００３５】
放射線照射装置１４の線源制御部８０は、曝射準備ボタン７２が押下されたことを検出すると、撮影制御装置２２から供給される撮影条件に基づき高電圧発生部７８を所定高電圧まで駆動した後、撮影ボタン７４の押下を許可し、撮影ボタン７４が押下されたことを検出すると、高電圧発生部７８を通じて放射線源７６を駆動し、放射線源７６から放射線Ｘ（図１参照）を出力させる。
【００３６】
図３において、放射線検出装置１８は、上述した放射線検出器１６の他に検出器制御部４６（図１も参照）を備える。検出器制御部４６は、放射線検出器１６から定期的に残像補正用の無曝射画像データＳｏｆｆｓｅｔを取得し記憶部８２（画像メモリ）に記憶する定期的無曝射画像データ取得部８４を有する。
【００３７】
撮影制御装置２２は、曝射準備ボタン７２がオンされたかどうかを検出する曝射準備ボタン監視部８６と、曝射準備ボタン７２がオンされたときに前記の定期的無曝射画像データ取得部８４の機能（定期的に残像補正用の無曝射画像データＳｏｆｆｓｅｔを取得する機能）を停止し、かつ曝射準備ボタン７２がオンとされたときの直前に取得され記憶部８２に記憶されている無曝射画像データＳｏｆｆｓｅｔを取得し自身の記憶部８８に転送させて記憶させる曝射準備時無曝射画像データ取得部９０と、記憶部８８に取得した無曝射画像データＳｏｆｆｓｅｔを、撮影ボタン７４がオンとされて放射線検出器１６から記憶部８２に転送されて記憶されている放射線画像データＳｒｄを取り込んだときに、残像補正用の無曝射画像データＳｏｆｆｓｅｔとして使用し残像補正を行う残像補正部９２と、曝射準備ボタン７２がオンとされたときの直前に取得され記憶部８２から記憶部８８転送されて記憶されている無曝射画像データＳｏｆｆｓｅｔと、当該無曝射画像データＳｏｆｆｓｅｔの他、少なくとも、当該無曝射画像データＳｏｆｆｓｅｔの直前に取得された無曝射画像データＳｏｆｆｓｅｔ１を使用して、撮影ボタン７４がオンとされ放射線検出器１６から放射線画像データＳｒｄを取得したときの残像減衰量を予測計算する残像減衰量予測計算部９４と、時間を計時するとともに各種タイミングを制御する計時部９６と、を備える。
【００３８】
この実施形態に係る撮影システム１０は、基本的には以上のように構成されるものであり、次にその動作について、図４のフローチャート及び図５のタイムチャートを参照して説明する。
【００３９】
被検体１２の放射線画像を得るために、放射線検出装置１８を含む撮影システム１０全体のメイン電源が投入されている状態において、撮影対象である被検体１２の撮影条件を撮影制御装置２２に予め登録しておく。
【００４０】
次に、医師又は放射線技師は、撮影条件に応じて被検体１２に対する放射線照射装置１４（放射線源７６）の位置及び放射線検出ユニット３４の位置を調整する。
【００４１】
上述のメイン電源が投入されると、図４のフローチャートによる処理が実行され、ステップＳ３の曝射準備ボタン７２がオンされたことを検出するまでステップＳ１、Ｓ２及びＳ３；ＮＯの処理が繰り返し実行される。
【００４２】
すなわち、ステップＳ１において、検出器制御部４６の定期的無曝射画像データ取得部８４は、図２に示すスイッチＳＷ１を所定期間（例えば、時点ｔ０〜ｔ１の期間）Ｖｏｆｆ側（オフ状態）にして、放射線検出器１６の各画素５０の蓄積容量５３にオフセット電荷をその所定期間蓄積させる。図５のタイムチャートにおいて、時点ｔ０〜ｔ１の期間、時点ｔ２〜ｔ３の期間、時点ｔ４〜ｔ５の期間、時点ｔ１１〜ｔ１３の期間は、全てオフセット電荷を蓄積するための同一の所定期間である。なお、時間、期間、タイミングは、計時部９６が参照されて、検出器制御部４６、撮影制御装置２２及び線源制御部８０により管理される。
【００４３】
次いで、ステップＳ２において、定期的無曝射画像データ取得部８４は、時点ｔ０〜ｔ１の間に各画素５０の蓄積容量５３に蓄積されたオフセット電荷Ｃ１を時点ｔ１〜ｔ２の読み出し期間Ｒ１の間で読み出し（スイッチＳＷ１を順次Ｖｏｎ側にし、その都度、スイッチＳＷ２を順次閉じる。）、記憶部８２（画像メモリ）に各画素５０の無曝射画像データＳｏｆｆｓｅｔとして更新記憶（いわゆる上書き記憶）する。
【００４４】
次いで、ステップＳ３において、曝射準備ボタン７２がオンとされたかどうか、この場合、押下されたかどうかが、線源制御部８０、撮影制御装置２２を経由して検出器制御部４６により監視され、押下されていない場合には、ステップＳ１、Ｓ２の処理を繰り返し各画素５０の無曝射画像データＳｏｆｆｓｅｔを更新記憶（上書き記憶）する。
【００４５】
ステップＳ３において、曝射準備ボタン７２がオンとされたことが線源制御部８０、曝射準備ボタン監視部８６、及び検出器制御部４６で検出されたとき（時点ｔ７参照）、検出器制御部４６は、ステップＳ１、Ｓ２の処理を停止し、ステップＳ４の処理を実行する時点ｔ７〜ｔ８の間で、曝射準備時無曝射画像データ取得部９０は、検出器制御部４６を通じて記憶部８２に記憶されている曝射準備ボタン７２がオンとされたときの直前の時点ｔ５〜ｔ６の間に取得されたオフセット電荷Ｃ３のデジタルデータである無曝射画像データＳｏｆｆｓｅｔを読み出し記憶部８８に転送記憶する。この時点ｔ７〜ｔ８間のデータの読み出し・転送記憶は、いわゆるメモリ同士のデータ転送であるので放射線検出器１６からの読み出し期間Ｒ１、Ｒ２、Ｒ３に比較して極めて短時間である。
【００４６】
次いで、ステップＳ５において、撮影ボタン７４がオンとされたかどうか、この場合、押下されたかどうかが、線源制御部８０、撮影制御装置２２及び検出器制御部４６により監視され、時点ｔ４において撮影ボタン７４がオンとされたことを検出したとき、線源制御部８０は、放射線源７６を撮影条件に応じて所定時間駆動して放射線Ｘを被検体１２に照射し、駆動後、ステップＳ６において、撮影終了信号を撮影制御装置２２及び放射線検出装置１８に送る（時点ｔ１０）。時点ｔ９〜ｔ１０の間で被検体１２を透過した放射線Ｘは、放射線検出器１６に照射され、放射線検出器１６を構成する各画素５０の光電変換層５１によって電気信号に変換された後、蓄積容量５３に信号電荷Ｃ４ｓ（オフセット電荷Ｃ４ｃも含まれる。）として保持される。
【００４７】
なお、時点ｔ６〜ｔ７までのオフセット電荷Ｃ４ａの蓄積期間、時点ｔ７〜ｔ９までのオフセット電荷Ｃ４ｂの蓄積期間、及び時点ｔ９〜ｔ１０の信号電荷Ｃ４ｓの蓄積時間（この時点ｔ９〜ｔ１０は、オフセット電荷Ｃ４ｃの蓄積期間でもある。）は、計時部９６を通じて記憶部８８及び記憶部８２に記憶される。
【００４８】
撮影終了後、直ちに、時点ｔ１０〜ｔ１１において、各画素５０から放射線画像データＳｒｄを読み出し、記憶部８２に記憶する。この放射線画像データＳｒｄには、信号電荷Ｃｓとオフセット電荷Ｃ４（Ｃ４ａ＋Ｃ４ｂ＋Ｃ４ｃ）との合成の放射線画像情報が含まれる。次いで、時点ｔ１１〜ｔ１２で、記憶部８２から記憶部８８に放射線画像データＳｒｄを転送する。なお、時点ｔ１０から記憶部８８への放射線画像データＳｒｄの転送を開始してもよい。このようにして、ステップＳ７において、撮影制御装置２２で放射線画像データＳｒｄが取得される。
【００４９】
次いで、ステップＳ８において、残像補正部９２により、放射線画像データＳｒｄから、当該放射線画像データＳｒｄに含まれているオフセット電荷Ｃ４に対応する無曝射画像データＳｏｆｆｓｅｔを除去する残像補正処理を行う。
【００５０】
この場合、残像補正部９２は、次の（１）式に示すように、記憶部８８に記憶されている各画素５０の放射線画像データＳｒｄから、ステップＳ４において、記憶部８８に記憶されている直前の各画素５０のオフセット電荷Ｃ３に対応する無曝射画像データＳｏｆｆｓｅｔを差し引くことで、残像補正された放射線画像データＳｒｄを生成し、記憶部８８に被検体１２に関連づけて記憶する。
Ｓｒｄ（残像補正後）←Ｓｒｄ（残像補正前）−直前のＳｏｆｆｓｅｔ…（１）
【００５１】
次いで、ステップＳ９において、撮影制御装置２２は、残像補正された放射線画像データＳｒｄに対して所定の画像処理を施した後、被検体１２の情報（いわゆる患者情報）と関連付けた状態の放射線画像情報として表示装置２０へ送信する。
【００５２】
放射線画像情報を受信した表示装置２０は、被検体１２の放射線画像を表示する。このため、図示しない医師等は、放射線画像を確認しながら診断等を遂行することができる。
【００５３】
次いで、ステップＳ１にもどり、再び、定期的無曝射画像データ取得部８４により定期的に残像補正用の無曝射画像データＳｏｆｆｓｅｔを取得し記憶部８２の記憶内容を更新記憶する。
【００５４】
ところで、上述した実施形態において、残像補正部９２は、時点ｔ６〜ｔ１０までのオフセット電荷Ｃ４が含まれている放射線画像データＳｒｄから、オフセット電荷Ｃ４の影響を除去する際に、直前の時点ｔ４〜ｔ５間のオフセット電荷Ｃ３に対応する無曝射画像データＳｏｆｆｓｅｔを、オフセット電荷Ｃ４に対応するものとみなして、残量補正を行うようにしているが、残像減衰量予測計算部９４において、時点ｔ６〜ｔ１０間のオフセット電荷Ｃ４を予測して、オフセット電荷Ｃ４が含まれている放射線画像データＳｒｄから当該オフセット電荷Ｃ４の影響を除去するように構成を変更することもできる（他の実施形態）。
【００５５】
他の実施形態の第１実施例としては、蓄積時間Ｔａ（ｔ６〜ｔ１０）のオフセット電荷Ｃ４を、曝射準備ボタン７２が押下される直前の蓄積時間Ｔｂ（ｔ４〜ｔ５）のオフセット電荷Ｃ３から直線補間で求める。すなわち、Ｃ４＝Ｃ３×Ｔａ／Ｔｂと予測し、残像補正部９２は、時点ｔ６〜ｔ１０までのオフセット電荷Ｃ４が含まれている放射線画像データＳｒｄから、オフセット電荷Ｃ４の影響を除去する際に、直前の時点ｔ４〜ｔ５までのオフセット電荷Ｃ３に対応する無曝射画像データＳｏｆｆｓｅｔのＴａ／Ｔｂ倍を、オフセット電荷Ｃ４に対応するものとみなして、次の（２）式により残量補正を行うようにすることができる。
Ｓｒｄ（残像補正後）
←Ｓｒｄ（残像補正前）−直前のＳｏｆｆｓｅｔ×Ｔａ／Ｔｂ        …（２）
【００５６】
他の実施形態の第２実施例としては、撮影直後は、残像に係わるオフセット電荷が大きく徐々に減少することを考慮し（この撮影時におけるオフセット電荷の減衰特性は、撮影システム１０に対応して予め実験的に取得しておくことができる。）、例えば、図５のタイムチャートの例では、撮影直後のオフセット電荷Ｃ５がその後の定期的取得時のオフセット電荷Ｃ６よりも多い。ちなみに、撮影後、所定時間経過した後には、実施例１に示したように、逆に、暗電流によりオフセット電荷が増加する。
【００５７】
そこで、図６に示すように、時点ｔ−１での撮影直後等の場合に、再度、撮影をしたとき時点ｔ９には、蓄積時間Ｔａ（ｔ６〜ｔ１０）のオフセット電荷Ｃ４を、直前の少なくとも２つの蓄積時間Ｔｂ（ｔ４〜ｔ５）及び蓄積時間Ｔｃ（ｔ２〜ｔ３）のオフセット電荷Ｃ３、Ｃ２から減衰量を予測して求めるようにする。
【００５８】
この場合、残像補正部９２は、曝射準備ボタン７２が押下されたとき（時点ｔ７）の直前の所定期間（時点ｔ４〜ｔ５間）に取得され、時点ｔ７〜ｔ８で読み出され記憶部８８に記憶されている蓄積電荷Ｃ３に対応する無曝射画像データＳｏｆｆｓｅｔ（便宜上、Ｓｏｂという。）と、当該無曝射画像データＳｏｆｆｓｅｔの他、少なくとも、当該無曝射画像データＳｏｆｆｓｅｔの直前の所定期間（時点ｔ２〜ｔ３）に取得された蓄積電荷Ｃ２に対応する無曝射画像データＳｏｆｆｓｅｔ（便宜上、Ｓｏｃという。）とから、撮影ボタン７４が押下され放射線検出器１６から放射線画像データＳｒｄを取得したときの残像減衰量を残像減衰量予測計算部９４により予測計算し、次の（３）式（図７参照）に示すように、残像補正を行う。
Ｓｒｄ（残像補正後）
←Ｓｒｄ（残像補正前）−Ｓｏａ
＝Ｓｒｄ（残像補正前）−｛Ｓｏｂ−（Ｓｏｃ−Ｓｏｂ）×Ｔａ／Ｔｂ｝
…（３）
【００５９】
なお、この第２実施例の場合には、記憶部８２には、曝射準備ボタン７２が押下される前の直近２回分の無曝射画像データＳｏｆｆｓｅｔが記憶され、時点ｔ７において、曝射準備ボタン７２が押下されたとき、時点ｔ７〜ｔ８の間に、前記直近２回分の無曝射画像データＳｏｆｆｓｅｔ（上例では、ＳｏｃとＳｏｂ）が、撮影制御装置２２の記憶部８８に転送される。
【００６０】
以上説明したように上述した実施形態によれば、曝射準備ボタン７２が押下されたとき（例えば、図５の時点ｔ７）、定期的に取得し更新していた無曝射画像データＳｏｆｆｓｅｔの取得を停止し、曝射準備ボタン７２が押下されたときの直前に取得し更新していて放射線検出装置１８の記憶部８２に記憶されている無曝射画像データＳｏｆｆｓｅｔを、撮影ボタン７４が押下されたときに取得した放射線画像データＳｒｄに対する残像補正用として使用し、残像補正を行うようにしたので、曝射準備ボタン７２、撮影ボタン７４及びオフセット成分である無曝射画像データＳｏｆｆｓｅｔの取得時のタイミングについての最適化が図られ、短時間で精度の高い残像補正を行うことができる。
【００６１】
この場合、図６のタイムチャート及び図７の予測説明図を参照して説明したように、前記の残像補正を行う際に、曝射準備ボタン７２が押下されたときの直前に取得され記憶部８２に記憶されている無曝射画像データＳｏｆｆｓｅｔ（前記のＳｏｂ）と、当該無曝射画像データＳｏｂの他、少なくとも、当該無曝射画像データＳｏｂの直前に取得された無曝射画像データＳｏｃとから、撮影ボタン７４が押下され放射線検出器１６から放射線画像データＳｒｄを取得したときの残像減衰量｛上記の（Ｓｏｃ−Ｓｏｂ）×Ｔａ／Ｔｂ｝を予測計算し、残像補正を行うようにすることで、撮影直後の撮影においても、短時間に高精度の残像補正を行うことができる。
【００６２】
なお、この発明は、上述の実施の形態に限らず、この発明の要旨を逸脱することなく、種々の構成を採り得ることは勿論である。
【符号の説明】
【００６３】
１０…放射線撮影システム              １２…被検体
１４…放射線照射装置                  １６…放射線検出器
１８…放射線検出装置                  ２２…撮影制御装置
７２…曝射準備ボタン                  ７４…撮影ボタン
８２、８８…記憶部                    ８４…定期的無曝射画像データ取得部
９２…残像補正部                      ９４…残像減衰量予測計算部
９６…計時部
【図１】
2011072358.tif 000003
【図２】
2011072358.tif 000004
【図３】
2011072358.tif 000005
【図４】
2011072358.tif 000006
【図５】
2011072358.tif 000007
【図６】
2011072358.tif 000008
【図７】
2011072358.tif 000009